(57)【特許請求の範囲】
【請求項１】
入力音響信号の信号レベルを調整値に応じて調整して出力音響信号を生成する信号調整手段と、
前記入力音響信号または前記出力音響信号を複数の帯域成分に分割する帯域分割手段と、
前記各帯域成分に対応する複数の調整値設定手段であって、前記入力音響信号に対する前記出力音響信号の信号レベルが当該帯域成分の信号レベルに応じて変化するように各々が調整値を可変に設定する複数の調整値設定手段と、
前記複数の調整値設定手段が設定した複数の調整値のうち前記信号調整手段に適用される調整値を選択する調整値選択手段と
を具備する音響処理装置。
【請求項２】
前記調整値選択手段は、利用者からの指示に応じて調整値を選択する
請求項１の音響処理装置。
【請求項３】
前記調整値選択手段は、前記複数の帯域成分のうち信号レベルが最大の帯域成分に対応する調整値を選択する
請求項１または請求項２の音響処理装置。
【請求項４】
前記各帯域成分の信号レベルを帯域成分毎に個別に調整して前記各調整値設定手段に供給する帯域成分調整手段
を具備する請求項３の音響処理装置。
【請求項５】
前記帯域分割手段から前記各調整値設定手段を介して前記調整値選択手段に至る複数の経路の各々の確立および遮断を個別に制御する経路制御手段
を具備する請求項１から請求項４の何れかの音響処理装置。
【発明の詳細な説明】
【技術分野】
【０００１】
本発明は、音響信号の信号レベルを調整する技術に関する。
【背景技術】
【０００２】
音響信号が供給される増幅器のゲインを音響信号の信号レベルに応じて可変に制御する技術（コンプレッサやリミッタ）が従来から提案されている。例えば特許文献１（図５）には、音響信号を帯域分割した複数の帯域成分の各々の信号レベルに応じて設定された定数を音響信号に乗算するリミッタ装置が開示されている。
【先行技術文献】
【特許文献】
【０００３】
【特許文献１】特許第２９２１３７５号公報
【発明の概要】
【発明が解決しようとする課題】
【０００４】
しかし、特許文献１に開示された技術では、音響信号を帯域分割した全部の帯域成分の信号レベルが音響信号に対する乗算値に反映される。したがって、例えば利用者が充分な信号レベルでの聴取を所望する特定の帯域成分の信号レベルが増加した場合にも音響信号の信号レベルが強制的に抑制されるという問題や、特定の帯域成分の信号レベルが増加して音響信号の信号レベルを抑制すべき状況なのに他の帯域成分の信号レベルが過度に低い影響で音響信号の信号レベルが充分に抑制されないという問題が発生し得る。以上の事情を考慮して、本発明は、音響信号の特定の帯域成分を選択的に音響信号の信号レベルの調整に反映させることを目的とする。
【課題を解決するための手段】
【０００５】
以上の課題を解決するために本発明が採用する手段を説明する。なお、本発明の理解を容易にするために、以下の説明では、本発明の要素と後述の実施形態の要素との対応を括弧書で付記するが、本発明の範囲を実施形態の例示に限定する趣旨ではない。
【０００６】
本発明の音響処理装置は、入力音響信号（例えば音響信号ＳIN）の信号レベルを調整値（例えば調整値Ｇ）に応じて調整して出力音響信号（例えば音響信号ＳOUT）を生成する信号調整手段（例えば信号調整部１２）と、入力音響信号または出力音響信号を複数の帯域成分（例えば帯域成分Ｂ[1]〜Ｂ[N]）に分割する帯域分割手段（例えば帯域分割部２２）と、各帯域成分に対応する複数の調整値設定手段（例えば調整値設定部３０[1]〜３０[N]）であって、入力音響信号に対する出力音響信号の信号レベルが当該帯域成分の信号レベルに応じて変化するように各々が調整値（例えば調整値Ｃ[1]〜Ｃ[N]）を可変に設定する複数の調整値設定手段と、複数の調整値設定手段が設定した複数の調整値のうち信号調整手段に適用される調整値を選択する調整値選択手段（例えば調整値選択部２６）とを具備する。例えば、調整値設定手段は、帯域成分の信号レベルが増加するほど入力音響信号に対する出力音響信号の信号レベルが抑制されるように各調整値を可変に設定する。以上の構成においては、各帯域成分に対応する複数の調整値のうち信号調整手段に適用される調整値が選択されるから、入力音響信号の特定の帯域成分の信号レベルを選択的に出力音響信号の信号レベルに反映させることが可能である。
【０００７】
本発明の好適な態様において、調整値選択手段は、利用者からの指示に応じて調整値を選択する。以上の態様においては、利用者からの指示に応じた調整値が選択されるから、複数の帯域成分のうち利用者の所望の帯域成分の信号レベルが出力音響信号の信号レベルに反映されるという利点がある。なお、以上の態様の具体例は例えば第１実施形態として後述される。
【０００８】
本発明の好適な態様において、調整値選択手段は、複数の帯域成分のうち信号レベルが最大の帯域成分に対応する調整値を選択する。以上の態様においては、信号レベルが最大の帯域成分に対応する調整値が選択されるから、信号レベルが最大の帯域成分以外の成分の信号レベルが充分に低い場合でも、出力音響信号の信号レベルを適切に抑制することが可能である。なお、以上の態様の具体例は例えば第２実施形態として後述される。
【０００９】
本発明の好適な態様に係る音響処理装置は、各帯域成分の信号レベルを帯域成分毎に個別に調整して各調整値設定手段に供給する帯域成分調整手段（例えば帯域成分調整部５０）を具備する。以上の態様においては、各帯域成分の信号レベルが帯域成分調整部にて個別に調整されるから、各調整値設定部が生成する調整値を調整値選択部が選択する可能性を帯域成分毎に個別に制御できるという利点がある。なお、以上の態様の具体例は例えば第３実施形態として後述される。
【００１０】
本発明の好適な態様に係る音響処理装置は、帯域分割手段から各調整値設定手段を介して調整値選択手段に至る複数の経路の各々の確立および遮断を個別に制御する経路制御手段（例えば経路制御部６０）を具備する。以上の態様においては、帯域分割手段から調整値選択手段に至る複数の経路の各々の確立／遮断が個別に制御されるから、特定の帯域成分に対応する経路を遮断することで、当該帯域成分の信号レベルが出力音響信号の信号レベルに影響することを回避することが可能である。なお、以上の態様の具体例は例えば第４実施形態として後述される。
【００１１】
以上の各態様に係る音響処理装置は、ＤＳＰ（Digital Signal Processor）等の専用の電子回路で実現されるほか、ＣＰＵ（Central Processing Unit）などの汎用の演算処理装置とプログラムとの協働でも実現される。本発明のプログラムは、入力音響信号の信号レベルを調整値に応じて調整して出力音響信号を生成する信号調整手段と、入力音響信号または出力音響信号を複数の帯域成分に分割する帯域分割手段と、各帯域成分に対応する複数の調整値設定手段であって、当該帯域成分の信号レベルが増加するほど入力音響信号に対する出力音響信号の信号レベルが抑制されるように各々が調整値を可変に設定する複数の調整値設定手段と、複数の調整値設定手段が設定した複数の調整値のうち信号調整手段に適用される調整値を選択する調整値選択手段としてコンピュータを機能させる。以上のプログラムによれば、本発明の音響処理装置と同様の効果が実現される。なお、本発明のプログラムは、コンピュータが読取可能な記録媒体に格納された形態で利用者に提供されてコンピュータにインストールされるほか、通信網を介した配信の形態でサーバ装置から提供されてコンピュータにインストールされる。
【図面の簡単な説明】
【００１２】
【図１】本発明の第１実施形態の音響処理装置のブロック図である。
【図２】本発明の第３実施形態の音響処理装置のブロック図である。
【図３】本発明の第４実施形態の音響処理装置のブロック図である。
【図４】本発明の第５実施形態の音響処理装置のブロック図である。
【図５】本発明の第６実施形態の音響処理装置のブロック図である。
【図６】変形例に係る調整値設定部のブロック図である。
【図７】変形例に係る調整値設定部のブロック図である。
【図８】変形例に係る音響処理装置のブロック図である。
【発明を実施するための形態】
【００１３】
＜Ａ：第１実施形態＞
図１は、本発明の第１実施形態に係る音響処理装置１００Aのブロック図である。音響処理装置１００Aは、上位装置から供給される音響信号ＳINの信号レベルを調整して音響信号ＳOUTを生成する信号処理装置である。第１実施形態の音響処理装置１００Aは、音響信号ＳINの信号レベルの変動幅（ダイナミックレンジ）を減少させて音響信号ＳOUTを生成する効果付与装置（コンプレッサ）として機能する。音響信号ＳINおよび音響信号ＳOUTは、音声や楽音等の音響の時間波形を示すサンプル系列である。
【００１４】
図１に示すように、音響処理装置１００Aは、信号調整部１２と調整制御部１４と指示受付部１６とを具備する。音響信号ＳINは、信号調整部１２に供給される系統（メインパス）と調整制御部１４に供給される系統（サイドパス）との２系統に分岐する。指示受付部１６は、例えば複数の操作子を含む入力機器で構成されて利用者からの指示を受付ける。
【００１５】
信号調整部１２は、音響信号ＳINの信号レベルを調整値Ｇに応じて調整することで音響信号ＳOUTを生成する。例えば、音響信号ＳINに調整値Ｇを乗算する乗算回路（増幅器）が信号調整部１２として好適に採用される。調整値Ｇは、音響信号ＳINの増幅のゲインに相当し、１以下の正数（０＜Ｇ≦１）に設定される。調整制御部１４は、信号調整部１２の処理に適用される調整値Ｇを音響信号ＳINの特性に応じて可変に設定する。なお、調整値Ｇの範囲は１以下の正数に限定されない。例えば、調整値Ｇが１以上の数値に設定される構成によれば、音響処理装置１００Aをエキスパンダーとして機能させることが可能である。また、調整値Ｇを１以上の数値に設定することで音響信号ＳOUTの信号レベルが所定の上限値を上回る場合には、音響信号ＳOUTの信号レベルを抑制する処理（例えばハードクリップやソフトクリップ等の公知の方法）が併用され得る。
【００１６】
図１に示すように、調整制御部１４は、帯域分割部２２と候補値生成部２４と調整値選択部２６とを含んで構成される。帯域分割部２２は、周波数帯域が相違するＮ個の帯域成分Ｂ[1]〜Ｂ[N]に音響信号ＳINを帯域分割する（Ｎは２以上の自然数）。例えばＩＩＲ（Infinite Impulse Response）フィルタやＦＩＲ（Finite Impulse Response）フィルタ等の公知のフィルタ回路が帯域分割部２２として任意に採用される。
【００１７】
候補値生成部２４は、信号調整部１２に適用される調整値Ｇの候補となるＮ個の調整値Ｃ[1]〜Ｃ[N]を可変に設定する。図１に示すように、候補値生成部２４は、相異なる帯域成分Ｂ[1]〜Ｂ[N]に対応するＮ個の調整値設定部３０[1]〜３０[N]で構成される。第ｎ番目（ｎ＝１〜Ｎ）の調整値設定部３０[n]は、帯域分割部２２が生成した帯域成分Ｂ[n]の信号レベルＬ[n]に応じて調整値Ｃ[n]を可変に設定する。
【００１８】
図１に示すように、各調整値設定部３０[n]は、信号レベル検出部４２と設定処理部４４とを含んで構成される。信号レベル検出部４２は、帯域成分Ｂ[n]の信号レベルＬ[n]を検出する。帯域成分Ｂ[n]の信号レベルＬ[n]の検出には公知の技術が任意に採用され得る。
【００１９】
設定処理部４４は、信号レベル検出部４２が検出した信号レベルＬ[n]に応じて調整値Ｃ[n]を可変に設定する。具体的には、設定処理部４４は、当該設定処理部４４が設定した調整値Ｃ[n]を調整値Ｇとして信号調整部１２に適用した場合に、帯域成分Ｂ[n]の信号レベルＬ[n]が増加するほど音響信号ＳINに対する音響信号ＳOUTの信号レベルが抑制されるように、帯域成分Ｂ[n]の信号レベルＬ[n]に応じて調整値Ｃ[n]を可変に設定する。
【００２０】
例えば、設定処理部４４は、帯域成分Ｂ[n]の信号レベルＬ[n]が閾値ＬTHを下回る状態では調整値Ｃ[n]を１に設定し、信号レベルＬ[n]が閾値ＬTHを上回る状態がアタック時間Ｔatkだけ継続すると、信号レベルＬ[n]が増加するほど調整値Ｃ[n]が圧縮率（レシオ）Ｒに応じた度合で減少する（すなわち音響信号ＳOUTの信号レベルが音響信号ＳINに対して抑制される）ように調整値Ｃ[n]を制御する。また、設定処理部４４は、帯域成分Ｂ[n]の信号レベルＬ[n]が閾値ＬTHを下回る状態がリリース時間Ｔrelだけ継続すると、信号レベルＬ[n]に応じた調整値Ｃ[n]の制御を停止して調整値Ｃ[n]を１に設定する。調整値Ｃ[n]の制御に関連する変数（閾値ＬTH，圧縮率Ｒ，アタック時間Ｔatk，リリース時間Ｔrel）の各数値は、指示受付部１６に対する利用者からの指示に応じて可変に設定される。
【００２１】
図１の調整値選択部２６は、候補値生成部２４（調整値設定部３０[1]〜３０[N]）が生成するＮ個の調整値Ｃ[1]〜Ｃ[N]の何れかを、信号調整部１２に適用される調整値Ｇとして選択する。利用者は、Ｎ個の調整値Ｃ[1]〜Ｃ[N]のうち所望の調整値Ｃ[n]（Ｎ個の帯域成分Ｂ[1]〜Ｂ[N]のうち所望の帯域成分Ｂ[n]）の選択の指示を指示受付部１６に対して付与することが可能である。調整値選択部２６は、Ｎ個の調整値Ｃ[1]〜Ｃ[N]のうち指示受付部１６に対する指示で利用者が選択した調整値Ｃ[n]を調整値Ｇとして選択する。調整値選択部２６が選択した調整値Ｇが信号調整部１２に指示された音響信号ＳOUTの生成（音響信号ＳINに対する調整値Ｇの乗算）に適用される。
【００２２】
以上の形態においては、各帯域成分Ｂ[n]に対応するＮ個の調整値Ｃ[1]〜Ｃ[N]の何れかが信号調整部１２での調整値Ｇとして選択される。したがって、音響信号ＳINのＮ個の帯域成分Ｂ[1]〜Ｂ[N]のうち特定の帯域成分Ｂ[n]の信号レベルＬ[n]のみが選択的に音響信号ＳOUTの信号レベルに反映される。第１実施形態では、Ｎ個の調整値Ｃ[1]〜Ｃ[N]のうち利用者からの指示に応じた調整値Ｃ[n]が調整値Ｇとして選択されるから、利用者の所望の帯域成分Ｂ[n]のみが音響信号ＳOUTの信号レベルに反映されるという利点がある。
【００２３】
例えば、帯域成分Ｂ[n1]内の歌唱音と帯域成分Ｂ[n2]内の楽器の演奏音とを音響信号ＳINが含む場合を想定する。帯域成分Ｂ[n1]の調整値Ｃ[n1]を利用者が選択した場合、歌唱音（帯域成分Ｂ[n1]）の信号レベルＬ[n1]が閾値ＬTHを下回るならば、演奏音（帯域成分Ｂ[n2]）の信号レベルＬ[n2]が閾値ＬTHを上回る場合でも音響信号ＳOUTの信号レベルは抑制されない。したがって、利用者は楽器の演奏音を明確に聴取することが可能である。他方、歌唱音の信号レベルＬ[n1]が閾値ＬTHを上回る場合には音響信号ＳOUTの信号レベルが抑制される。すなわち、歌唱音の音量の過度の増加を抑制しながら楽器の演奏音を歌唱音と比較して優先的に聴取したいという利用者の要求に対応することが可能である。
【００２４】
＜Ｂ：第２実施形態＞
本発明の第２実施形態を以下に説明する。なお、以下に例示する各態様において作用や機能が第１実施形態と同等である要素については、以上の説明で参照した符号を流用して各々の詳細な説明を適宜に省略する。
【００２５】
第２実施形態の音響処理装置１００Cの構成は、図１に例示した第１実施形態の音響処理装置１００Aと同様である。第１実施形態の調整値選択部２６は、利用者からの指示に応じた調整値Ｃ[n]を調整値Ｇとして選択した。第２実施形態の調整値選択部２６は、Ｎ個の帯域成分Ｂ[1]〜Ｂ[N]のうち信号レベル検出部４２にて検出される信号レベルＬ[n]が最大の帯域成分Ｂ[n]に対応する１個の調整値Ｃ[n]を調整値Ｇとして選択する。
【００２６】
第２実施形態においても、第１実施形態と同様に、特定の帯域成分Ｂ[n]の信号レベルＬ[n]のみが選択的に音響信号ＳOUTの信号レベルに反映されるという利点がある。また、第２実施形態では、信号レベルＬ[n]が最大となる帯域成分Ｂ[n]に対応する調整値Ｃ[n]が調整値Ｇとして選択されるから、音響信号ＳINのうち信号レベルＬ[n]が最大となる帯域成分Ｂ[n]以外の成分の信号レベルが充分に低い場合でも、音響信号ＳOUTの信号レベルを適切に抑制することが可能である。
【００２７】
＜Ｃ：第３実施形態＞
図２は、第３実施形態の音響処理装置１００Bのブロック図である。図２に示すように、第３実施形態の音響処理装置１００Bは、第２実施形態の音響処理装置１００Cの調整制御部１４に帯域成分調整部５０を追加した構成である。帯域成分調整部５０は、Ｎ個の帯域成分Ｂ[1]〜Ｂ[N]の各々の信号レベルを個別に調整する。
【００２８】
図２に示すように、帯域成分調整部５０は、相異なる帯域成分Ｂ[n]に対応するＮ個の調整部５２[1]〜５２[N]を含んで構成される。調整部５２[n]は、帯域分割部２２が生成した帯域成分Ｂ[n]に調整値ａ[n]を乗算する乗算回路（増幅器）である。調整値ａ[1]〜ａ[N]は、例えば指示受付部１６に対する利用者からの指示に応じて可変に設定される。調整部５２[n]による調整後（調整値ａ[n]の乗算後）の帯域成分Ｂ[n]が調整値設定部３０[n]に供給される。
【００２９】
第３実施形態においても第１実施形態と同様の効果が実現される。また、第３実施形態では、各帯域成分Ｂ[n]の信号レベルＬ[n]が帯域成分調整部５０にて個別に調整されるから、Ｎ個の調整値Ｃ[1]〜Ｃ[N]の各々が調整値Ｇとして選択される可能性を帯域成分Ｂ[n]毎に個別に制御できるという利点がある。例えば、帯域成分調整部５０の調整部５２[n]に適用される調整値ａ[n]を増加させた場合には調整値Ｃ[n]が調整値Ｇとして選択される可能性が増加する。以上の例示では、各調整値ａ[n]が利用者からの指示に応じて可変に設定されるから、利用者の所望の帯域成分Ｂ[n]の信号レベルＬ[n]を音響信号ＳOUTの信号レベル（調整値Ｇ）に優先的に反映させることが可能である。
【００３０】
＜Ｄ：第４実施形態＞
図３は、第４実施形態の音響処理装置１００Dのブロック図である。図３に示すように、第４実施形態の音響処理装置１００Dは、第２実施形態の音響処理装置１００C（図１）に経路制御部６０を追加した構成である。経路制御部６０は、相異なる帯域成分Ｂ[n]に対応するＮ個の切替部６２[1]〜６２[N]を含んで構成される。
【００３１】
経路制御部６０を構成する第ｎ番目の切替部６２[n]は、帯域分割部２２から各調整値設定部３０[n]を介して調整値選択部２６に至るＮ個の経路のうち帯域成分Ｂ[n]に対応する第ｎ番目の経路の確立／遮断を制御する。図３の切替部６２[n]は、調整値設定部３０[n]内の信号レベル検出部４２と設定処理部４４との間に介在して両者間の接続を制御するスイッチである。Ｎ個の切替部６２[1]〜６２[N]の各々の状態（オン／オフ）は、指示受付部１６に対する利用者からの指示に応じて個別に設定される。
【００３２】
第ｎ番目の切替部６２[n]がオン状態に制御された場合、調整値設定部３０[n]内では信号レベル検出部４２から設定処理部４４に至る経路が確立されるから、第１実施形態と同様に、設定処理部４４は信号レベルＬ[n]に応じた調整値Ｃ[n]を調整値Ｇの候補として生成する。他方、切替部６２[n]がオフ状態に制御された場合、調整値設定部３０[n]内の信号レベル検出部４２から設定処理部４４に至る経路が遮断されるから、設定処理部４４は調整値Ｃ[n]の生成を停止する。したがって、帯域成分Ｂ[n]の信号レベルＬ[n]は、その高低に関わらず、信号調整部１２に適用される調整値Ｇには反映されない。調整値選択部２６は、候補値生成部２４が生成する複数（Ｎ個以下）の調整値Ｃ[n]のうち最大の信号レベルＬ[n]に対応する調整値Ｃ[n]を調整値Ｇとして選択する。
【００３３】
以上の形態においては、各帯域成分Ｂ[n]の信号レベルＬ[n]を音響信号ＳOUTの信号レベル（調整値Ｇ）に反映させるか否かが帯域成分Ｂ[n]毎に個別に制御されるから、特定の帯域成分Ｂ[n]が音響信号ＳOUTの信号レベルに影響することを回避することが可能である。例えば、歌唱音の帯域成分Ｂ[n]に対応する切替部６２[n]をオフ状態に制御すれば、歌唱音の信号レベルＬ[n]が増加した場合でも音響信号ＳOUTの信号レベルの抑制は回避される。
【００３４】
なお、以上の例示では、調整値選択部２６が信号レベルＬ[n]の高低に応じて調整値Ｃ[n]を選択したが、第１実施形態と同様に、利用者からの指示に応じた調整値Ｃ[n]を選択する構成を第４実施形態に適用することも可能である。また、経路制御部６０が設置される位置は適宜に変更される。例えば、帯域分割部２２と各信号レベル検出部４２との間に経路制御部６０（切替部６２[1]〜６２[N]）を設置した構成や、各設定処理部４４と調整値選択部２６との間に経路制御部６０（切替部６２[1]〜６２[N]）を設置した構成も採用され得る。
【００３５】
＜Ｅ：第５実施形態＞
図４は、第５実施形態の音響処理装置１００Eのブロック図である。調整制御部１４が時間領域の音響信号ＳINを処理する以上の各形態とは相違して、第５実施形態では、調整制御部１４が音響信号ＳINを周波数領域で処理する。図４に示すように、第５実施形態の音響処理装置１００Eは、第１実施形態の音響処理装置１００Aに周波数変換部７２と信号遅延部７４とを追加した構成である。
【００３６】
周波数変換部７２は、音響信号ＳINの各フレームに対する周波数変換で音響信号ＳINの周波数スペクトルをフレーム毎に生成する。周波数変換部７２による演算には、離散フーリエ変換やウェーブレット変換等の公知の周波数変換が任意に採用される。帯域分割部２２は、周波数変換部７２が生成した周波数スペクトルの分割でＮ個の帯域成分Ｂ[1]〜Ｂ[N]を生成する。他方、図４の信号遅延部７４は、周波数変換部７２での処理に必要な時間だけ音響信号ＳINを遅延させる。信号遅延部７４での遅延後の音響信号ＳINが信号調整部１２に供給される。
【００３７】
以上の構成においても第１実施形態と同様の効果が実現される。また、第５実施形態では、信号遅延部７４での遅延後の音響信号ＳINが信号調整部１２に供給されるから、音響信号ＳINのうち調整値Ｇの生成に適用された区間（フレーム）と当該調整値Ｇが信号調整部１２にて適用される区間との時間軸上のズレが低減されるという利点がある。ただし、信号遅延部７４は省略され得る。
【００３８】
＜Ｆ：第６実施形態＞
本発明の第６実施形態を説明する。以上の各形態では、音響信号ＳINに応じた調整値Ｇを音響信号ＳINに適用して音響信号ＳOUTを生成するフィードフォワード型の構成を例示した。第６実施形態は、音響信号ＳOUTに応じて調整値Ｇを設定したうえで音響信号ＳINの信号レベルの調整に適用するフィードバック型である。
【００３９】
図５は、第６実施形態の音響処理装置１００Fのブロック図である。図５に示すように、第６実施形態の帯域分割部２２は、信号調整部１２による調整後の音響信号ＳOUTの帯域分割でＮ個の帯域成分Ｂ[1]〜Ｂ[N]を生成する。候補値生成部２４は、第１実施形態と同様の構成および処理で各帯域成分Ｂ[n]に対応するＮ個の調整値Ｃ[1]〜Ｃ[N]を生成する。調整値選択部２６は、Ｎ個の調整値Ｃ[1]〜Ｃ[N]の何れかを調整値Ｇとして選択する。信号調整部１２は、調整値選択部２６が選択した調整値Ｇに応じて音響信号ＳINの信号レベルを調整することで音響信号ＳOUTを生成する。
【００４０】
第６実施形態においても第１実施形態と同様の効果が実現される。なお、図５では第１実施形態を基礎とした構成を例示したが、音響信号ＳOUTに応じて調整値Ｇを設定する第６実施形態のフィードバック型の構成は、第２実施形態から第５実施形態にも同様に適用され得る。
【００４１】
＜Ｇ：変形例＞
以上の各形態は多様に変形され得る。具体的な変形の態様を以下に例示する。以下の例示から任意に選択された２以上の態様は適宜に併合され得る。
【００４２】
（１）変形例１  
以上の各形態における各調整値設定部３０[n]の構成は適宜に変更される。例えば図６の調整値設定部３０A[n]や図７の調整値設定部３０B[n]を、以上の各形態における調整値設定部３０[n]に置換することが可能である。
【００４３】
図６の調整値設定部３０A[n]は、対数変換部８２と対数逆変換部８４とを以上の各形態の調整値設定部３０[n]に追加した構成である。対数変換部８２は、帯域分割部２２が生成した帯域成分Ｂ[n]を対数領域の数値（デシベル値）に変換（Linear-Logarithm変換）する。対数変換部８２による変換後の帯域成分Ｂ[n]から信号レベル検出部４２が信号レベルＬ[n]を検出し、設定処理部４４が信号レベルＬ[n]から調整値Ｃ[n]を設定する。対数逆変換部８４は、設定処理部４４が設定した調整値Ｃ[n]を線形領域の数値に変換（Logarithm-Linear変換）する。対数逆変換部８４による変換後の調整値Ｃ[n]が調整値Ｇの候補として調整値選択部２６に供給される。なお、設定処理部４４による演算の内容が対数逆変換部８４の作用を包含する場合には対数逆変換部８４が省略され得る。
【００４４】
図７の調整値設定部３０B[n]は、乗算部８６を以上の各形態の調整値設定部３０[n]に追加した構成である。乗算部８６は、帯域分割部２２が生成した帯域成分Ｂ[n]に閾値ＬTHの逆数（１/ＬTH）を乗算する。閾値ＬTHは、前述の各形態と同様に、指示受付部１６に対する利用者からの指示に応じて可変に設定される。閾値ＬTHが小さい数値に設定されるほど、乗算部８６の演算後の帯域成分Ｂ[n]の信号レベルＬ[n]が増加するから、音響信号ＳOUTを抑圧するように調整値Ｃ[n]が設定される。
【００４５】
例えば、設定処理部４４が以下の数式の演算で帯域成分Ｂ[n]の信号レベルＬ[n]から調整値Ｃ[n]を算定する場合を想定する。記号Ｒは前述のように圧縮比（レシオ）を意味する。
【数１】
0005621519.tif 000002
【００４６】
いま、閾値ＬTHが0.5に設定されるとともに圧縮率Ｒが2.0に設定された状態のもとで、信号レベルが1.0の帯域成分Ｂ[n]が図７の調整値設定部３０B[n]に供給された場合を想定する。閾値ＬTHの逆数（1/0.5＝2.0）を乗算部８６が帯域成分Ｂ[n]に乗算することで、信号レベル検出部４２が検出する信号レベルＬ[n]は2.0（＝1.0×2.0）となる。したがって、設定処理部４４が算定する調整値Ｃ[n]は0.7071（＝2.0-1/2）となる。なお、乗算部８６を省略した構成では、信号レベル検出部４２が検出する信号レベルＬ[n]が1.0であるから、設定処理部４４が算定する調整値Ｃ[n]は1.0となる。すなわち、帯域成分Ｂ[n]に対する閾値ＬTHの逆数の乗算は、音響信号ＳOUTの信号レベルを抑圧させるように作用する。
【００４７】
（２）変形例２  
図８に示すように、音響信号ＳINの信号レベルを調整する調整部１８２や音響信号ＳOUTの信号レベルを調整する調整部１８４を追加した構成も好適である。調整部１８２および調整部１８４の各々は、例えば指示受付部１６に対する利用者からの指示に応じた数値を入力信号（ＳIN，ＳOUT）に乗算する。なお、図８ではフィードフォワード型の構成を例示したが、第６実施形態として例示したフィードバック型の構成にも調整部１８２および調整部１８４が追加され得る。
【００４８】
（３）変形例３  
以上の形態では、Ｎ個の調整値Ｃ[1]〜Ｃ[N]から１個の調整値Ｃ[n]を調整値Ｇとして選択したが、調整値選択部２６がＮ個の調整値Ｃ[1]〜Ｃ[N]から複数個（Ｎ個未満）の調整値Ｃ[n]を選択して調整値Ｇを決定する構成も採用され得る。例えば、調整値選択部２６は、利用者からの指示や信号レベルＬ[n]の高低に応じて選択した複数の調整値Ｃ[n]について所定の演算を実行することで調整値Ｇを算定する。
【符号の説明】
【００４９】
１００A，１００B，１００C，１００D，１００E，１００F……音響処理装置、１２……信号調整部、１４……調整制御部、１６……指示受付部、２２……帯域分割部、２４……候補値生成部、２６……調整値選択部、３０[n]，３０A[n]，３０B[n]……調整値設定部、４２……信号レベル検出部、４４……設定処理部、５０……帯域成分調整部、５２[n]……調整部、６０……経路制御部、６２[n]……切替部、７２……周波数変換部、７４……信号遅延部、８２……対数変換部、８４……対数逆変換部、８６……調整部。
【図１】
0005621519.tif 000003
【図２】
0005621519.tif 000004
【図３】
0005621519.tif 000005
【図４】
0005621519.tif 000006
【図５】
0005621519.tif 000007
【図６】
0005621519.tif 000008
【図７】
0005621519.tif 000009
【図８】
0005621519.tif 000010